(57)【要約】【課題】軸筒本体に外軸を外嵌した筆記具の軸筒において、軸筒本体の先端部に口先部材を螺着し易く、外軸の先端面と口先部材に隙間の発生し難い筆記具の軸筒を簡単な構造で提供することである。【解決手段】本発明は、軸筒本体の先端部に連接した雄ねじ部に、口先部材の内壁に形成した雌ねじ部を着脱自在に螺着してなる筆記具の軸筒において、前記軸筒本体に外軸を外嵌し、前記軸筒本体の先端部の外壁と、前記外軸の先端部の内壁間に隙間を形成するとともに、前記口先部材の雌ねじ部の後方に、前記雄ねじ部の外径よりも内径が大きく、前記外軸の内径と同径以下の外径とした延出部を設けるとともに、前記延出部が雄ねじ部を覆った後、前記雄ねじ部と口先部材の螺合を開始し、前記口先部材の後端部に形成した延出部が、前記隙間に間挿した後、前記口先部材と外軸が当接し、螺着を終了することを特徴とする。【選択図】        図３
2010253780.tif 000002
【特許請求の範囲】
【請求項１】
軸筒本体の先端部に連接した雄ねじ部に、口先部材の内壁に形成した雌ねじ部を着脱自在に螺着してなる筆記具の軸筒において、前記軸筒本体に外軸を外嵌し、前記軸筒本体の先端部の外壁と、前記外軸の先端部の内壁間に隙間を形成するとともに、前記口先部材の雌ねじ部の後方に、前記雄ねじ部の外径よりも内径が大きく、前記外軸の内径と同径以下の外径とした延出部を設けるとともに、前記延出部が雄ねじ部を覆った後、前記雄ねじ部と口先部材の螺合を開始し、前記口先部材の後端部に形成した延出部が、前記隙間に間挿した後、前記口先部材と外軸が当接し、螺着を終了することを特徴とする筆記具の軸筒。
【請求項２】
前記延出部の後端面の外側の角部に、面取りを施してあることを特徴とする請求項１に記載の筆記具の軸筒。
【請求項３】
前記軸筒本体が、管状の前軸と後軸を連結して構成するとともに、前記前軸と後軸の内径及び外径が異なるとともに、前記前軸の内壁に段差がない特徴とする請求項１または２に記載の筆記具の軸筒。
【発明の詳細な説明】
【技術分野】
【０００１】
本発明は、軸筒本体の先端部に連設した雄ねじ部と口先部材の内壁に形成した雌ねじ部とを螺着してなる筆記具の軸筒に関する。
【背景技術】
【０００２】
軸筒本体の先端部に連接した雄ねじ部に、口先部材の内壁に形成した雌ねじ部を螺着してなる筆記具の軸筒はよく知られて、特開２０００−７５８４号公報「筆記具」等に開示されている。
【先行技術文献】
【特許文献】
【０００３】
【特許文献１】「特開２０００−７５８４号公報」
【発明の概要】
【発明が解決しようとする課題】
【０００４】
ところで、軸筒の先端部に口先部材を螺着するには、軸筒の雄ねじ部と口先部材の雌ねじ部のどちらか一方が傾斜していると螺着を開始できないために、軸筒本体の軸心と、口先部材の軸心とを位置だしながら螺着する必要がある。
【０００５】
しかし、特許文献１では、口先部材の後端部に延出部を設け、口先部材の螺着終了時には、口先部材の延出部が、軸筒のグリップを被覆するようにして、グリップを位置ずれし難くする構造が開示されているが、螺着を開始する前に位置だしを行う機能を有していないため、軸筒又は口先部材が傾斜した状態で、組立を行うと螺合を開始しない等の不具合が発生する恐れがある。手作業での組立であれば、多少のズレを緩和して螺着することは容易であるが、機械組の場合には、厳密に位置だしする必要があった。
【０００６】
また、軸筒本体に外軸を外嵌すると、軸筒本体と外軸との軸心が一致し難い問題があり、口先部材を螺着し易くすくすることが、特に望まれている。
【０００７】
本発明は上記問題を鑑み、軸筒本体に外軸を外嵌した筆記具の軸筒において、軸筒本体の先端部に口先部材を螺着し易く、外軸の先端面と口先部材に隙間の発生し難い筆記具の軸筒を簡単な構造で提供するものである。
【課題を解決するための手段】
【０００８】
前記目的を達成するために本発明では、軸筒本体の先端部に連接した雄ねじ部に、口先部材の内壁に形成した雌ねじ部を着脱自在に螺着してなる筆記具の軸筒において、前記軸筒本体に外軸を外嵌し、前記軸筒本体の先端部の外壁と、前記外軸の先端部の内壁間に隙間を形成するとともに、前記口先部材の雌ねじ部の後方に、前記雄ねじ部の外径よりも内径が大きく、前記外軸の内径と同径以下の外径とした延出部を設けるとともに、前記延出部が雄ねじ部を覆った後、前記雄ねじ部と口先部材の螺合を開始し、前記口先部材の後端部に形成した延出部が、前記隙間に間挿した後、前記口先部材と外軸が当接し、螺着を終了することを特徴とする。
【０００９】
また、前記延出部の後端面の外側の角部に、面取りを施してあることを特徴とする。
【００１０】
前記軸筒本体が、管状の前軸と後軸を連結して構成するとともに、前記前軸と後軸の内径及び外径が異なるとともに、前記前軸の内壁に段差がない特徴とする。
【発明の効果】
【００１１】
本発明は、軸筒本体に外軸を外嵌した筆記具の軸筒において、軸筒本体の先端部に口先部材を螺着し易く、外軸の先端面と口先部材に隙間の発生し難い筆記具の軸筒を簡単な構造で提供することができた。
【図面の簡単な説明】
【００１２】
【図１】実施例１における筆記具の軸筒の縦断面図である。
【図２】図１における筆記状態を示す縦断面図である。
【図３】螺着する状態を示す一部省略した要部拡大断面図である。
【発明を実施するための形態】
【００１３】
以下、図面を参照して本発明の実施例を説明する。尚、図面中同じ部材、同じ部品については同じ番号を付してある。
【実施例１】
【００１４】
図１から図３に示す本発明の筆記具の軸筒は、ノック式筆記具の軸筒１として例示してある。具体的には、金属管からなる内壁に段差のない前軸２と、樹脂からなる後軸３とを連結具４を介して軸筒本体を構成し、後軸３の後端部に形成した係合凸部３ａを、金属製の外軸５の被係合部５ａに落とし込み嵌合して、外軸５を軸筒本体に外嵌してある。また、前軸２の先端部に設けた雄ねじ部Ｒに、口先部材６を螺着して筆記具の軸筒１を得ている。
【００１５】
また、後軸３には、クリップ１４を一体に設けた後部材７を付設してあり、この後部材７内にカム溝（図示せず）を形成し、このカム溝に、回転カム８に形成した凸部を係合して配設する。また、回転カム８の後端には、回転カムを摺動し回転を付与するためのカム部を先端に有したノック体９を、後部材７の後端より外方に突出し、弾発部材１３に後方に付勢した状態に配設してある。
【００１６】
回転カム９の前方には、筆記具用インキ（図示せず）を収容したインキ収容筒１１の先端部にボールペンチップ１２を装着したボールペンレフィルをコイルスプリング１０により後軸３の後端方向へ付勢して、摺動自在に配設してあり、ノック体９を口先部材６の先端開口部６ａ側に押圧作動することで、回転カム８による出没機構により、ボールペンチップ１２を口先部材６から出没可能としてある。
【００１７】
口先部材６と前軸２、外軸５について詳述すると、外軸５の先端部の内径Ｋは、対向する前軸２の先端部の外径Ｊ１よりも大きくしてあり、後軸３に外軸５を外嵌した時に、外軸５の先端部の内壁と前軸２の先端部の間に隙間１５を形成してある。
【００１８】
また、口先部材６の雌ねじ部Ｓの後方には延出部６ｂを設けてあり、この延出部６ｂの内径Ｍは、雄ねじ部Ｒの外径Ｊ２及び前軸の外径Ｊ１よりも大きく、延出部６ｂの外径Ｌは、外軸５の内径Ｋと略同径としてあり、口先部材６の雌ねじ部１７と前軸２の雄ねじ部１６の螺着を終了した時に、延出部６が、前軸２と外軸５との隙間１５に位置して間挿するようにしてある。
【００１９】
前軸２の雄ねじ部１６に口先部材６の雌ねじ部１７を螺着するには、先ず、口先部材６の延出部６ｂが雄ねじ部１６を覆い、センターリングの位置だしを行う。その後、口先部材６の雌ねじ部１７と前軸２の雄ねじ部１６が螺着を開始する。さらに、螺着が進行すると、口先部材６の延出部６ｂは、外軸５の先端部の内壁と前軸２の先端部間の隙間１５に間挿し、口先部材６の段部６ｄと外軸５の先端面５ａが当接して螺着を終了する。尚、前軸２の雄ねじ部Ｒは、前軸２の先端面から開始されている。
【００２０】
本発明は、口先部材６の延出部６ｂが雄ねじ部１６を覆い、センターリングの位置だしを行った後、口先部材６の雌ねじ部１７と前軸２の雄ねじ部１６が螺着を開始するため、前軸２に口先部材６を螺着し易くすることができる。延出部６ｂの軸方向の長さは、特に限定されないが、雄ねじ部１６の軸方向の長さの１／２以上とすることで、安定した位置だしを行うことができる。
【００２１】
また、口先部材６の延出部６ｂが雄ねじ部１６を覆った後、螺合を開始し、口先部材６の後端部に形成した延出部６ｂが、外軸５と前軸２の隙間１５に間挿した後、螺着を終了するために、外軸５と前軸２の軸心がずれていても、口先部材６の延出部６ｂが矯正し、前軸２と外軸５との軸心を略同一線上とするために、螺着終了後、外軸５の先端面５ａと口先部材６に隙間の発生し難くする。
【００２２】
さらに、螺着開始前に、延出部６ｂが、外軸５の先端部の内壁と前軸２の先端部間に隙間１５に位置するには、位置だしが必要となり、組立性が低下するため、螺着を開始する前には、延出部６ｂが外軸５の前方に位置していることが最も好ましい。
【００２３】
また、延出部６ｂの後端面の外側の角部６ｃに、Ｃ面取りを施すことにより、仮に、外軸５の内壁に当接してもスムーズに、外軸５の先端部の内壁と前軸２の先端部の隙間Ｈに進入し易くすることができる。
【００２４】
本実施例では、便宜上、外軸を、軸筒本体に落とし込み嵌合して外嵌してあるが、嵌合方法は特に限定されるものではないが、外軸を軸筒本体の後端部にて嵌合すると、軸筒本体と外軸の軸心がずれた時に、外軸の先端面側でのずれが大きくなるので、本発明の効果は顕著である。
【００２５】
また、延出部の外径は、外軸の内径の同径以下としてあればよいが、略同径とすることで、外軸を安定して保持できるので、好ましい。具体的には、径差を０．５ｍｍ以下、０．３ｍｍ以下とすることが最も好ましい。
【００２６】
また、本実施例では、便宜上、前軸と後軸を連結具を介して軸筒本体を構成しているが、前軸と後軸を直接、連結してもよいし、前軸と後軸を一体に形成してもよい。但し、ノック式筆記具の軸筒とする場合、前軸の内径を大きくすると、収容したボールペンレフィルがスムーズに前後動しない恐れがあるため、前軸の内径は、ボールペンレフィルの最大径よりも若干大きい程度とすることが望ましい。一方、後軸は、内部に出没機構を具備するために、内径は、前軸よりも大きくする必要があり、一体に形成すると、内径に段差を有すると、ボールペンレフィルがスムーズに前後動しない恐れがあるため、前軸と後軸とを連結することが最も好ましい。同様に、口先部材を取り外してボールペンレフィルを交換する構造の場合も、前軸の内壁に段差を有すると、スムーズにボールペンレフィルを取り出せない恐れがあり、内壁に段差のない前軸とすることが好ましい。
【産業上の利用可能性】
【００２７】
本発明の筆記具の軸筒は、ノック式筆記具やキャップ式筆記具に限定されることなく、インキやペン先の種類にも限定されないので、筆記具の軸筒として広く利用可能である。
【００２８】
特に、口先部材を取り外して、軸筒本体に配設したボールペンレフィルを交換可能とした筆記具においては、口先部材の螺着を行うことが多く、本発明の効果は顕著である。
【符号の説明】
【００２９】
１  筆記具の軸筒
２  前軸
３  後軸
４  連結具
５  外軸
６  口先部材
６ａ  先端開口部
６ｂ  延出部
６ｃ  角部
７  後部材
８  回転カム
９  ノック体
１０  コイルスプリング
１１  インキ収容筒
１２  ボールペンチップ
１３  弾発部材
１４  クリップ
１５  隙間
１６  雄ねじ部
１７  雌ねじ部
Ｌ  延出部内径
Ｍ  延出部外径
Ｋ  外軸内径
Ｊ１  前軸外径
Ｊ２  雄ねじ部内径
【図１】
2010253780.tif 000003
【図２】
2010253780.tif 000004
【図３】
2010253780.tif 000005